(57)【要約】【課題】  ユーザ数および機能数が多い場合であっても、印刷機能の使用可否の設定における管理者による作業量が比較的少なくて済むようにする。【解決手段】  プリンタドライバプログラム２１は、コンピュータ１２を、印刷機能毎に使用可否を判定し、複数の印刷機能のそれぞれに設定されているパスワードのうち、使用禁止の印刷機能について予め設定されているパスワードと同一のパスワードが入力された場合のみ、その印刷機能の使用を一時的に許可するロックマネージャ４２、および使用禁止の印刷機能についてロックマネージャ４２により使用が一時的に許可されている場合、使用禁止の印刷機能を使用して印刷データを生成する印刷データ生成部４４として機能させる。【選択図】  図１
2010033182.tif 000002
【特許請求の範囲】
【請求項１】
コンピュータを、
印刷機能毎に使用可否を判定し、複数の印刷機能のそれぞれに設定されている認証情報のうち、使用禁止の印刷機能について予め設定されている認証情報と同一の認証情報が入力された場合のみ、その印刷機能の使用を一時的に許可する機能使用制御部、および
前記使用禁止の印刷機能について前記機能使用制御部により使用が一時的に許可されている場合、前記使用禁止の印刷機能を使用して印刷データを生成する印刷データ生成部
として機能させるための印刷設定プログラム。
【請求項２】
前記機能使用制御部は、印刷機能毎に予め設定され前記コンピュータ内に格納されている使用可否情報を参照して印刷機能毎に使用可否を判定し、使用禁止の印刷機能に予め設定され前記コンピュータ内に格納されている認証情報を参照して前記使用禁止の印刷機能について予め設定されている認証情報と同一の認証情報が入力されたか否かを判定することを特徴とする請求項１記載の印刷設定プログラム。
【請求項３】
前記機能使用制御部は、管理者により入力された前記使用可否情報および前記認証情報を前記コンピュータ内に格納することを特徴とする請求項２記載の印刷設定プログラム。
【請求項４】
前記機能使用制御部は、前記使用禁止の印刷機能の使用要求が発生するたびに、前記認証情報の入力を要求し、その使用禁止の印刷機能について設定されている認証情報が入力された場合のみ、その印刷機能の使用を許可することを特徴とする請求項１記載の印刷設定プログラム。
【請求項５】
前記機能使用制御部および前記印刷データ生成部は、プリンタドライバの一部として動作することを特徴とする請求項１記載の印刷設定プログラム。
【請求項６】
前記認証情報は、パスワードであることを特徴とする請求項１記載の印刷設定プログラム。
【発明の詳細な説明】
【技術分野】
【０００１】
本発明は、印刷設定プログラムに関するものである。
【背景技術】
【０００２】
ユーザごとにＩＤおよびパスワードが設定され、パスワード認証後に、そのユーザの有する権限を示す権限情報に基づいて印刷機能の使用可否を判定する端末装置がある（例えば特許文献１参照）。権限情報に基づき使用が許可されている機能については、ユーザによる設定操作が受け付けられる。
【０００３】
【特許文献１】特開２００７−２５７０３８号公報
【発明の開示】
【発明が解決しようとする課題】
【０００４】
しかしながら、上述の装置では、各ユーザに対して各機能について使用可否を設定する場合、すべてのユーザに対して権限情報を設定する必要がある。このため、ユーザ数および機能数が多い場合、使用可否に関する、管理者による設定作業量がかなり多くなってしまう。
【０００５】
本発明は、上記の問題に鑑みてなされたものであり、ユーザ数および機能数が多い場合であっても、印刷機能の使用可否の設定における管理者による作業量が比較的少なくて済むようにすることができる印刷設定プログラムを得ることを目的とする。
【課題を解決するための手段】
【０００６】
上記の課題を解決するために、本発明では以下のようにした。
【０００７】
本発明に係る印刷設定プログラムは、コンピュータを、印刷機能毎に使用可否を判定し、複数の印刷機能のそれぞれに設定されている認証情報のうち、使用禁止の印刷機能について予め設定されている認証情報と同一の認証情報が入力された場合のみ、その印刷機能の使用を一時的に許可する機能使用制御部、および使用禁止の印刷機能について機能使用制御部により使用が一時的に許可されている場合、使用禁止の印刷機能を使用して印刷データを生成する印刷データ生成部として機能させる。
【０００８】
これにより、機能毎に認証情報が設定されるため、予め設定すべき情報が少なくて済む。したがって、ユーザ数および機能数が多い場合であっても、印刷機能の使用可否の設定における管理者による作業量が比較的少なくて済む。
【０００９】
また、本発明に係る印刷設定プログラムは、上記の印刷設定プログラムに加え、次のようにしてもよい。この場合、機能使用制御部は、印刷機能毎に予め設定されコンピュータ内に格納されている使用可否情報を参照して印刷機能毎に使用可否を判定し、使用禁止の印刷機能に予め設定されコンピュータ内に格納されている認証情報を参照して使用禁止の印刷機能について予め設定されている認証情報と同一の認証情報が入力されたか否かを判定する。
【００１０】
これにより、印刷機能の使用可否を判定するために必要な情報がすべてローカルに格納されているため、外部サーバなどが必要とならない。
【００１１】
また、本発明に係る印刷設定プログラムは、上記の印刷設定プログラムのいずれかに加え、次のようにしてもよい。この場合、機能使用制御部は、管理者により入力された使用可否情報および認証情報をコンピュータ内に格納する。
【００１２】
また、本発明に係る印刷設定プログラムは、上記の印刷設定プログラムのいずれかに加え、次のようにしてもよい。この場合、機能使用制御部は、使用禁止の印刷機能の使用要求が発生するたびに、認証情報の入力を要求し、その使用禁止の印刷機能について設定されている認証情報が入力された場合のみ、その印刷機能の使用を許可する。
【００１３】
また、本発明に係る印刷設定プログラムは、上記の印刷設定プログラムのいずれかに加え、次のようにしてもよい。この場合、機能使用制御部および印刷データ生成部は、プリンタドライバの一部として動作する。
【００１４】
また、本発明に係る印刷設定プログラムは、上記の印刷設定プログラムのいずれかに加え、次のようにしてもよい。この場合、認証情報は、パスワードとされる。
【発明の効果】
【００１５】
本発明によれば、ユーザ数および機能数が多い場合であっても、印刷機能の使用可否の設定における管理者による作業量が比較的少なくて済むようにすることができる。
【発明を実施するための最良の形態】
【００１６】
以下、図に基づいて本発明の実施の形態を説明する。
【００１７】
図１は、印刷システムの一例を示す図である。この印刷システムは、端末装置１とプリンタ２とを有する。端末装置１には、例えばパーソナルコンピュータが使用され、本発明の印刷設定プログラムの一実施の形態であるプリンタドライバプログラムがインストールされている。
【００１８】
端末装置１は、ハードディスクドライブ（ＨＤＤ）１１、コンピュータ１２、キーボード、マウスなどといった入力装置１３、および液晶ディスプレイなどといった表示装置１４を備える。端末装置１において、ＨＤＤ１１、入力装置１３および表示装置１４は、コンピュータ１２に接続されている。
【００１９】
ＨＤＤ１１は、プログラムおよびデータを格納する記録媒体を有する装置である。ＨＤＤ１１には、アプリケーションプログラム、ＯＳ（Operating System）プログラム、プリンタドライバプログラム２１などのプログラムが格納されている。また、ＨＤＤ１１には、ロック状態テーブル２２およびパスワードテーブル２３が格納されている。なお、ＨＤＤ１１の代わりに、不揮発性の半導体メモリ、例えばＣＤ−ＲＯＭといった可搬性のある記録媒体およびその駆動装置などを使用し、上記プログラムおよびデータを格納してもよい。
【００２０】
プリンタドライバプログラム２１は、コンピュータ１２を、プリンタドライバ３３として機能させるためのプログラムである。
【００２１】
ロック状態テーブル２２は、印刷機能毎に予め設定された使用可否情報を含むテーブルである。図２は、図１におけるロック状態テーブル２２の一例を示す図である。図２に示すロック状態テーブル２２には、フッタ設定機能を示す「フッタ」および透かし設定機能を示す「透かし」についての使用可否情報が登録されている。なお、フッタ設定とは、フッタ印刷のオン／オフ、フッタのフォーマットなどを設定する機能である。また、透かし設定とは、透かし印刷のオン／オフ、透かし印刷するテキストなどを設定する機能である。このロック状態テーブル２２では、「フッタ」の使用可否情報の値がアンロック（使用可）に設定されており、「透かし」の使用可否情報の値がロック（使用禁止）に設定されている。この場合、「フッタ」については一般ユーザによる設定および設定の変更が可能であるが、「透かし」については、一般ユーザによる設定および設定の変更が禁止される。
【００２２】
また、パスワードテーブル２３は、使用禁止の印刷機能に予め設定された認証情報としてのパスワードを含むテーブルである。このパスワードは、使用禁止の一時的解除に使用される。図３は、図１におけるパスワードテーブル２３の一例を示す図である。このパスワードテーブル２３は、管理者ログイン用パスワードと、使用禁止の印刷機能に設定されているパスワードとを有する。図３に示すパスワードテーブル２３には、管理者ログイン用パスワードとして「ａｂｃ１２３」が登録されており、図２においてロックされている「透かし」についてパスワード「ｘｙｚ４５６」が登録されている。
【００２３】
コンピュータ１２は、ＣＰＵ（Central Processing Unit）、ＲＯＭ（Read Only Memory）、ＲＡＭ（Random Access Memory）などを有し、プログラムをＲＡＭにロードし、ＣＰＵにより実行する。これにより、各種処理部が実現される。この実施の形態では、アプリケーション処理部３１、オペレーティングシステム（ＯＳ）３２およびプリンタドライバ３３が実現される。
【００２４】
アプリケーション処理部３１は、アプリケーションプログラムがＣＰＵにより実行されて実現される処理部である。アプリケーションプログラムとしては、オフィスアプリケーションプログラム、ウェブブラウザプログラムなどがある。
【００２５】
ＯＳ３２は、ＯＳプログラムがＣＰＵにより実行されて実現される。ＯＳ３２は、グラフィックデバイスインタフェース（ＧＤＩ）によりプリンタドライバ３３の印刷機能をアプリケーション処理部に提供する。
【００２６】
プリンタドライバ３３は、プリンタドライバプログラム２１がＣＰＵにより実行されて実現される。プリンタドライバ３３は、ユーザにより設定された印刷条件で印刷対象を印刷するための印刷データを生成し、プリンタ２へ供給する。プリンタドライバ３３は、ＵＩ処理部４１、ロックマネージャ４２、認証処理部４３および印刷データ生成部４４を有する。
【００２７】
ＵＩ処理部４１は、入力装置１３および表示装置１４により構成されるユーザインタフェースを制御し、このユーザインタフェースにより得られるユーザ操作の情報を取得する処理部である。ＵＩ処理部４１によりパスワードなどの入力を要求するウィンドウが表示装置１４に表示され、その要求に対する入力装置１３への入力操作がＵＩ処理部４１により検出される。
【００２８】
ロックマネージャ４２は、ロック状態テーブル２２を参照して、印刷機能毎に使用可否を判定し、複数の印刷機能のそれぞれに設定されているパスワードのうち、使用禁止の印刷機能について予め設定されているパスワードと同一のパスワードが入力された場合のみ、その印刷機能の使用を一時的に許可する処理部である。また、ロックマネージャ４２は、ログイン後の管理者の操作に従って、ロック状態テーブル２２に使用可否情報を登録するとともに、パスワードテーブル２３にパスワードを登録する処理部である。
【００２９】
認証処理部４３は、パスワードテーブル２３を参照し、管理者の認証処理、使用禁止の印刷機能についての一時アンロックの認証処理などを行う処理部である。各認証処理において、認証処理部４３は、入力されたパスワードとパスワードテーブル２３に登録されているパスワードとが一致するか否かに基づいて、認証の正否を判定する。
【００３０】
なお、ロックマネージャ４２および認証処理部４３は、機能使用制御部の一例である。
【００３１】
印刷データ生成部４４は、使用禁止の印刷機能についてロックマネージャ４２により使用が一時的に許可されている場合、使用禁止の印刷機能を使用して印刷データを生成し、プリンタ２へ出力する処理部である。印刷データは、アプリケーション処理部３１などが取り扱うデータから生成され、例えばＰＤＬ（Page Description Language）で記述される。
【００３２】
次に、上記装置の動作について説明する。
【００３３】
まず、ＯＳプログラムが実行されＯＳ３２が起動し、さらに、アプリケーションプログラムが実行されアプリケーション処理部３１が起動する。その後、アプリケーション処理部３１またはＯＳ３２において印刷設定要求が発生すると、プリンタドライバプログラム２１が実行されプリンタドライバ３３が起動する。また、アプリケーション処理部３１またはＯＳ３２において印刷要求が発生すると、プリンタドライバプログラム２１が実行されプリンタドライバ３３の印刷データ生成部４４により印刷データが生成されプリンタ２へ出力される。
【００３４】
プリンタドライバ３３による印刷設定では、（１）管理者による使用可否情報およびパスワードの登録、および（２）一般ユーザによる使用禁止機能の一時アンロックが可能である。
【００３５】
（１）管理者による使用可否情報およびパスワードの登録
【００３６】
入力装置１３に対する所定の操作が検出されると、管理者による使用可否情報およびパスワードの登録処理が開始される。
【００３７】
まず、ロックマネージャ４２は、ＵＩ処理部４１を制御して、管理者パスワードの入力のためのウィンドウを表示装置１４に表示させる。図４は、管理者パスワードの入力のためのウィンドウの一例を示す図である。このウィンドウ６１には、パスワードの入力フィールドが設けられている。
【００３８】
そして、パスワードが入力されウィンドウ６１における「ＯＫ」ボタンが押下されると、ロックマネージャ４２は、入力されたパスワードを取得して認証処理部４３に供給する。認証処理部４３は、そのパスワードがパスワードテーブル２３に登録されている管理者パスワードに一致するか否かを判定し、判定結果をロックマネージャ４２に供給する。
【００３９】
ロックマネージャ４２は、管理者の認証に成功した場合には、ＵＩ処理部４１を制御して、機能毎の使用可否情報を入力するためのウィンドウを表示装置１４に表示させる。一方、管理者の認証に失敗した場合には、ロックマネージャ４２は、エラーメッセージを表示装置１４に表示させ、この処理を終了する。図５は、機能毎の使用可否情報を入力するためのウィンドウの一例を示す図である。このウィンドウ７１では、機能毎に、ロック／アンロックを設定するためのチェックボックス７２が表示される。
【００４０】
そして、チェックボックス７２のチェック／チェック解除は、入力装置１３に対する管理者の操作により行われる。例えば図５に示す「透かし」のようにある機能に対してロック（使用禁止）が設定されると、ロックマネージャ４２は、ＵＩ処理部４１を制御して、その使用禁止機能についての一時解除パスワードを入力するためのウィンドウを表示装置１４に表示させる。図６は、使用禁止機能についての一時解除パスワードを入力するためのウィンドウの一例を示す図である。このウィンドウ８１では、使用禁止に指定された機能に対する、一時解除パスワードの入力フィールドが表示される。
【００４１】
そして、このウィンドウ８１においてパスワードが入力され「ＯＫ」ボタンが押下されると、ロックマネージャ４２は、入力されたパスワードを取得する。
【００４２】
このようにある機能に対して使用禁止の設定操作が行われると、ロックマネージャ４２は、ロック状態テーブル２２におけるその機能の使用可否情報の値を「ロック（使用禁止）」とし、ウィンドウ８１において入力されたパスワードを、その機能の使用禁止を一時解除するためのパスワードとしてパスワードテーブル２３に登録する。
【００４３】
例えば、図５に示すように「透かし」がロックされ、「フッタ」がロックされていない場合、「透かし」に対するパスワードが入力され、その結果、図２および図３に示すように、ロック状態テーブル２２およびパスワードテーブル２３に、使用可否情報およびパスワードが登録される。
【００４４】
（２）一般ユーザによる使用禁止機能の一時アンロック
【００４５】
入力装置１３に対する所定の操作が検出されると、一般ユーザが印刷設定処理が開始される。図７は、図１におけるプリンタドライバ３３による印刷設定処理を説明するフローチャートである。
【００４６】
一般ユーザが印刷設定を行う場合、一般ユーザの操作により設定項目が選択されると、プリンタドライバ３３のロックマネージャ４２は、ロック状態テーブル２２から、選択された設定項目の使用可否情報を読み出し（ステップＳ１）、ロック（使用禁止）が設定されているか否かを判定する（ステップＳ２）。
【００４７】
選択された設定項目に対してロック（使用禁止）が設定されていないと判定した場合、ロックマネージャ４２は、選択された設定項目の機能の使用を許可する（ステップＳ３）。その後、ＵＩ処理部４１によりその設定項目の設定ウィンドウが表示装置１４に表示され、一般ユーザは、その機能を制限なしに使用することができる。
【００４８】
図８は、項目「透かし」に対してロック（使用禁止）が設定されていない場合の、項目「透かし」の設定ウィンドウの一例を示す図である。例えば、項目「透かし」に対してロック（使用禁止）が設定されていない場合、図８に示すように、設定ウィンドウ９１において、項目「透かし」についての複数の選択肢（「複写禁止」、「社外秘」、「サンプル」および「なし」）が、プルダウンメニュー９２により、選択可能な状態で表示される。このため、一般ユーザは、「複写禁止」、「社外秘」、「サンプル」および「なし」から、所望の設定を選択することができる。
【００４９】
一方、選択された設定項目に対してロック（使用禁止）が設定されていると判定した場合、ロックマネージャ４２は、選択された設定項目の機能の使用を禁止する（ステップＳ４）。そして、ＵＩ処理部４１によりその設定項目の設定ウィンドウが表示装置１４に表示されるが、設定機能が禁止されているため、一般ユーザは、その機能を使用できない。
【００５０】
ステップＳ４の禁止状態で所定の操作がＵＩ処理部４１により検出されると、ロックマネージャ４２は、ＵＩ処理部４１を制御して、その設定項目を一時的に使用可能とするためのパスワードを要求するウィンドウを表示装置４１に表示させる（ステップＳ５）。
【００５１】
図９は、項目「透かし」に対してロック（使用禁止）が設定されている場合の、項目「透かし」の設定ウィンドウの一例を示す図である。例えば、項目「透かし」に対してロック（使用禁止）が設定されている場合、図９に示すように、設定ウィンドウ９１において、項目「透かし」についてのプルダウンメニュー９２の選択肢が「複写禁止」に固定された状態で表示される。このため、一般ユーザは、「複写禁止」から他の選択肢へ設定を変更することができない。さらに、図９に示すように設定ウィンドウ９１には「ロック解除」ボタン９３が表示され、「ロック解除」ボタン９３の押下操作がＵＩ処理部４１により検出されると、ロックマネージャ４２は、一時解除パスワードを要求するウィンドウを表示させる。図１０は、項目「透かし」に対してロック（使用禁止）が設定されている場合の、一時解除パスワードを入力するためのウィンドウの一例を示す図である。このウィンドウ１０１には、パスワードの入力フィールドが設けられている。
【００５２】
各使用禁止機能に対して設定されているパスワードは、予め、その使用禁止機能の使用を許可する特定の一般ユーザのみに管理者から通知されている。このため、管理者からパスワードを通知されている一般ユーザは、正しい一時解除パスワードを入力することで、この機能を使用することができる。一方、管理者からパスワードを通知されていない一般ユーザは、正しい一時解除パスワードを入力することができないため、この機能を使用することができない。機能ごとにパスワードが設定可能であるので、管理者が、まず使用を制限したい機能について、ロックおよびパスワードを設定し、その後、その機能を使用させても構わない一部の一般ユーザにパスワードを通知すればよい。
【００５３】
その後、ウィンドウ１０１にパスワードが入力され「ＯＫ」ボタンが押下されると、ロックマネージャ４２は、入力されたパスワードを取得して認証処理部４３に供給する。認証処理部４３は、そのパスワードが、パスワードテーブル２３に登録されている、選択された設定項目の一時解除パスワードに一致するか否かを判定し、判定結果をロックマネージャ４２に供給する。
【００５４】
ロックマネージャ４２は、入力されたパスワードがその一時解除パスワードに一致する場合、一時的に、その機能の使用を許可し（ステップＳ３）、入力されたパスワードがその一時解除パスワードに一致しない場合、エラーメッセージを表示装置１４に表示させ、その機能の使用を禁止したままとする（ステップＳ７）。一時的に機能の使用が許可された場合、使用禁止が設定されていない場合と同様に、一般ユーザは、その機能を制限なしに使用することができる。例えば、図９に示すように「透かし」の設定機能がロックされている場合において、正しいパスワードが入力されると、ロックが解除され、図８に示すように、プルダウンメニュー９２において、複数の選択肢が選択可能に表示される。
【００５５】
なお、ロックマネージャ４２は、使用禁止機能の使用要求が発生するたびに、パスワード入力を要求し、その使用禁止機能について設定されている正規のパスワードが入力された場合のみ、その印刷機能の使用を許可する。つまり、ユーザに対してではなく機能に対してパスワードが設定されているため、その機能の使用を完了した後に、再度その機能を使用する場合には、再度、パスワードの入力が要求される。
【００５６】
以上のように、上記実施の形態によれば、プリンタドライバプログラム２１は、コンピュータ１２を、印刷機能毎に使用可否を判定し、複数の印刷機能のそれぞれに設定されているパスワードのうち、使用禁止の印刷機能について設定されているパスワードが入力された場合のみ、その印刷機能の使用を一時的に許可するロックマネージャ４２、および使用禁止の印刷機能についてロックマネージャ４２により使用が一時的に許可されている場合、使用禁止の印刷機能を使用して印刷データを生成する印刷データ生成部４４として機能させる。
【００５７】
これにより、機能毎にパスワードが設定可能であるため、予め設定すべき情報が少なくて済む。したがって、ユーザ数および機能数が多い場合であっても、印刷機能の使用可否の設定における管理者による作業量が比較的少なくて済む。
【００５８】
なお、上述の実施の形態は、本発明の好適な例であるが、本発明は、これらに限定されるものではなく、本発明の要旨を逸脱しない範囲において、種々の変形、変更が可能である。
【００５９】
例えば、上記実施の形態においては、「透かし」および「フッタ」の設定機能について本発明が適用されているが、設定機能以外の機能についての使用制限に適用してもよい。例えば、「透かし」について、使用禁止の場合にプルダウンメニュー９２を「なし」に固定することで、透かし印刷自体を使用禁止とすることができる。
【００６０】
また、上記実施の形態において、パスワードの代わりに生体情報（指紋情報など）を使用してもよい。その場合、生体情報を検出するための入力装置３が設けられる。
【００６１】
また、上記実施の形態において、プリンタドライバプログラム２１は、ＣＤ−ＲＯＭなどの可搬性のある記録媒体に格納されて提供され、その記録媒体からＨＤＤ１１へ格納されるようにしてもよい。
【００６２】
また、上記実施の形態において、認証処理部４３およびパスワードテーブル２３を、端末装置１内には配置せずに図示せぬ外部サーバに配置し、ロックマネージャ４２が津辞せぬ通信装置を制御して外部サーバと通信し、上述の認証処理を行うようにしてもよい。
【産業上の利用可能性】
【００６３】
本発明は、例えば、パーソナルコンピュータ用のプリンタドライバに適用可能である。
【図面の簡単な説明】
【００６４】
【図１】印刷システムの一例を示す図である。
【図２】図１におけるロック状態テーブルの一例を示す図である。
【図３】図１におけるパスワードテーブルの一例を示す図である。
【図４】管理者パスワードの入力のためのウィンドウの一例を示す図である。
【図５】機能毎の使用可否情報を入力するためのウィンドウの一例を示す図である。
【図６】使用禁止機能についての一時解除パスワードを入力するためのウィンドウの一例を示す図である。
【図７】図１におけるプリンタドライバによる印刷設定処理を説明するフローチャートである。
【図８】項目「透かし」に対してロック（使用禁止）が設定されていない場合の、項目「透かし」の設定ウィンドウの一例を示す図である。
【図９】項目「透かし」に対してロック（使用禁止）が設定されている場合の、項目「透かし」の設定ウィンドウの一例を示す図である。
【図１０】項目「透かし」に対してロック（使用禁止）が設定されている場合の、一時解除パスワードを入力するためのウィンドウの一例を示す図である。
【符号の説明】
【００６５】
１２  コンピュータ
２１  プリンタドライバプログラム（印刷設定プログラム）
４２  ロックマネージャ（機能使用制御部の一部）
４３  認証処理部（機能使用制御部の一部）
４４  印刷データ生成部
【図１】
2010033182.tif 000003
【図２】
2010033182.tif 000004
【図３】
2010033182.tif 000005
【図４】
2010033182.tif 000006
【図５】
2010033182.tif 000007
【図６】
2010033182.tif 000008
【図７】
2010033182.tif 000009
【図８】
2010033182.tif 000010
【図９】
2010033182.tif 000011
【図１０】
2010033182.tif 000012